(57)【要約】【課題】利用者が、宣伝広告を表示し、かつ、表示された宣伝広告を実際に見るように動機付けて、十分な宣伝効果を得ることを可能とする広告方法および広告システムを提供する。【解決手段】広告代理センター側に設けられた窓口コンピュータ４と、利用者側に設けられた端末３とが通信回線２により接続されたネットワークにより広告をなすものであって、前記端末３の表示画面に、前記広告代理センター１の広告のための特別表示領域７１を設定し、その特別領域７１を同端末３が起動とともに表示させることにより、広告代理センター１の広告依頼者Ｃの広告をなすものである。【選択図】図１
2007249601.tif 000002
【特許請求の範囲】
【請求項１】
広告代理センター側に設けられた窓口コンピュータと、利用者側に設けられた端末とが通信回線により接続されたネットワークにより広告をなす広告方法であって、
前記端末の表示画面に、前記広告代理センターの広告のための表示領域を設け、その表示領域を同端末が起動されると表示させることにより、広告代理センターの広告依頼者の広告をなすことを特徴とする広告方法。
【請求項２】
広告依頼者が懸賞を出展した場合、その出展を通知するよう表示領域の表示態様を変更することを特徴とする請求項１記載の広告方法。
【請求項３】
広告されている商品を端末を介して購入した場合、当該端末の利用者に所定のポイントを付与し、そのポイントの合計が所定値に達すると所定の特典を付与することを特徴とする請求項１記載の広告方法。
【請求項４】
懸賞付の広告が表示されない期間が所定時間経過すると、広告代理センターから当該利用者に補償用のプレゼントを得る権利を付与することを特徴とする請求項１記載の広告方法。
【請求項５】
広告代理センターに登録された利用者が所定数に到達した場合、表示領域における所定の操作により当該利用者にプレゼントを得る権利を付与することを特徴とする請求項１記載の広告方法。
【請求項６】
広告代理センター側に設けられた窓口コンピュータと、利用者側に設けられた端末とを通信回線により接続してネットワークを構成して広告をなす広告システムであって、
前記窓口コンピュータが、利用者の登録をなす登録部と、登録利用者の情報を格納する登録利用者情報格納部と、広告代理センターのホームページのデータを格納するホームページデータ格納部と、広告依頼者からの広告情報を格納する広告情報格納部と、広告の構成データを広告構成データ格納部と、広告依頼者の情報を格納する広告依頼者情報格納部と、送受信部と、制御部とを備え、
前記端末が、広告代理センターの広告のための表示領域を備えてなる
ことを特徴とする広告システム。
【請求項７】
ホームページに、広告代理センターの概要を説明している概要説明部と、利用者の登録をなす利用者登録部と、端末に広告を表示させるソフトをダウンロードさせるダウンロード部と、登録利用者が当該ホームページにログインするログイン部とを備えてなることを特徴とする請求項６記載の広告システム。
【請求項８】
登録利用者がホームページにログインした際に表示されるメンバーズページに、クレジットカード登録部と、キャンペーン情報表示部と、キャンペーンへの応募状況を表示する応募状況表示部と、懸賞結果を表示する懸賞結果表示部と、懸賞金受取口座登録部とを備えてなることを特徴とする請求項７記載の広告システム。
【請求項９】
端末が、表示領域に表示される広告用画面の表示処理をなす処理部を備えてなることを特徴とする請求項６記載の広告システム。
【請求項１０】
端末が、広告用画面から当該広告に係る商品の購入がなし得るよう構成されてなることを特徴とする請求項９記載の広告システム。
【発明の詳細な説明】
【技術分野】
【０００１】
本発明は、広告方法および広告システムに関する。さらに詳しくは、インターネット等の大規模通信網により、懸賞を利用して効果的な宣伝広告を行うための広告方法および広告システムに関する。
【背景技術】
【０００２】
従来より、インターネット等の大規模通信網により、いわゆるホームページ（ウェブページ）を利用して、企業や商品を宣伝広告することが行われている。このような宣伝広告は、バナー広告等と呼ばれ、インターネット上でホームページを公開している個人や企業が、自らのホームページの閲覧者に対して宣伝広告を表示し、広告料や商品の代金から一定のマージンを得るシステムが一般的である。
【０００３】
ところが、このような従来の宣伝広告方法は、現在では、ホームページを閲覧するために用いられるインターネット・ブラウザが、バナー広告の表示を阻止するようセキュリティの設定が自動的になされるのが通常であるために、十分な宣伝効果を得ることが困難になっているといった問題がある。
【０００４】
また、いわゆるネットサーフィンでホームページを切り替える際には、表示されたバナー広告も閉じられるのが通常であり、その点においても、宣伝効果は薄いものといえる。
【０００５】
このため、宣伝広告を常時表示するための専用のソフトウェアをパソコンにインストールし、そのソフトウェアにより宣伝広告をパソコンに表示させ、その実際の表示時間を基準に一定の対価を支払う、といった方式も存在する（アフィリエイト等）。しかしながら、この方式では、利用者が、実際にパソコンの画面を見ているか否かに拘わらず対価を支払うシステムとなっているために宣伝効果も確実であるとはいえず、支払われる対価も少ないために利用者側にとってもそれほど魅力的なシステムであるとはいえないのが実情である。
【発明の開示】
【発明が解決しようとする課題】
【０００６】
本発明はかかる従来技術の課題に鑑みなされたものであって、利用者が、宣伝広告を表示し、かつ、表示された宣伝広告を実際に見るように動機付けて、十分な宣伝効果を得ることを可能とする広告方法および広告システムを提供することを目的としている。
【課題を解決するための手段】
【０００７】
本発明の広告方法は、広告代理センター側に設けられた窓口コンピュータと、利用者側に設けられた端末とが通信回線により接続されたネットワークにより広告をなす広告方法であって、前記端末の表示画面に、前記広告代理センターの広告のための表示領域を設け、その表示領域を同端末が起動されると表示させることにより、広告代理センターの広告依頼者の広告をなすことを特徴とする。
【０００８】
本発明の広告方法においては、広告依頼者が懸賞を出展した場合、その出展を通知するよう表示領域の表示態様を変更するのが好ましい。
【０００９】
また、本発明の広告方法においては、広告されている商品を端末を介して購入した場合、当該端末の利用者に所定のポイントを付与し、そのポイントの合計が所定値に達すると所定の特典を付与するのが好ましい。
【００１０】
さらに、本発明の広告方法においては、懸賞付の広告が表示されない期間が所定時間経過すると、広告代理センターから当該利用者に補償用のプレゼントを得る権利を付与するのが好ましい。
【００１１】
さらに、本発明の広告方法においては、広告代理センターに登録された利用者が所定数に到達した場合、表示領域における所定の操作により当該利用者にプレゼントを得る権利を付与するのが好ましい。
【００１２】
一方、本発明の広告システムは、広告代理センター側に設けられた窓口コンピュータと、利用者側に設けられた端末とを通信回線により接続してネットワークを構成して広告をなす広告システムであって、前記窓口コンピュータが、利用者の登録をなす登録部と、登録利用者の情報を格納する登録利用者情報格納部と、広告代理センターのホームページのデータを格納するホームページデータ格納部と、広告依頼者からの広告情報を格納する広告情報格納部と、広告の構成データを広告構成データ格納部と、広告依頼者の情報を格納する広告依頼者情報格納部と、送受信部と、制御部とを備え、前記端末が、広告代理センターの広告のための表示領域を備えてなることを特徴とする。
【００１３】
本発明の広告システムにおいては、ホームページに、広告代理センターの概要を説明している概要説明部と、利用者の登録をなす利用者登録部と、端末に広告を表示させるソフトをダウンロードさせるダウンロード部と、登録利用者が当該ホームページにログインするログイン部とを備えてなるのが好ましい。
【００１４】
また、本発明の広告システムにおいては、登録利用者がホームページにログインした際に表示されるメンバーズページに、クレジットカード登録部と、キャンペーン情報表示部と、キャンペーンへの応募状況を表示する応募状況表示部と、懸賞結果を表示する懸賞結果表示部と、懸賞金受取口座登録部とを備えてなるのが好ましい。
【００１５】
さらに、本発明の広告システムにおいては、端末が、表示領域に表示される広告用画面の表示処理をなす処理部を備えてなるのが好ましい。
【００１６】
さらに、本発明の広告システムにおいては、端末が、広告用画面から当該広告に係る商品の購入がなし得るよう構成されてなるのが好ましい。
【発明の効果】
【００１７】
本発明の広告方法および広告システムは、前記の如く構成されているので、利用者側に設けられている端末が起動されると、広告を表示する表示領域が表示され、その表示領域に広告が表示されて広告が当該端末の利用者の目に自然と触れるので、宣伝効果が高いという優れた効果が得られる。
【００１８】
また、本発明の好ましい形態によれば、広告依頼者が懸賞を出した場合、表示態様が変更されるので、端末の利用者の広告への注視度が向上されるため、宣伝効果が向上するという優れた効果が得られる。
【発明を実施するための最良の形態】
【００１９】
以下、添付図面を参照しながら本発明を実施形態に基づいて説明するが、本発明はかかる実施形態のみに限定されるものではない。
【００２０】
実施形態１
図１に、本発明の実施形態１に係る広告方法が適用された広告システムの概略構成を機能ブロック図により示す。
【００２１】
広告システムＵは、図１に示すように、広告代理センター１と、インターネット等の大規模通信網（以下、単に通信網という）２に接続された利用者側に設置されたパソコン等からなる端末３、３、・・・とを主要構成要素として備えてなるものとされ、広告依頼者Ｃ、Ｃ、・・・が依頼した内容の宣伝広告を、登録された利用者（以下、登録利用者という）の端末３に表示させるよう仲介して、広告代理業務を行うものとされる。
【００２２】
ここで、広告代理センター１は、通信網２に接続された窓口コンピュータ４を有しており、窓口コンピュータ４は通信網２を介して端末３と接続されて、以下のような広告代理業務に付随する各種処理を行うものとされる。
【００２３】
また、広告依頼者Ｃ、Ｃ、・・・は、通信網２に接続された広告依頼者ホームページ用コンピュータ（ウェブサーバ）５、５、・・・により、別途に自らのホームページ（ウェブページ。不図示である）を公開するものとされている。
【００２４】
図２に、窓口コンピュータ４の概略構成を示す。窓口コンピュータ４は、所定の手続により利用者の登録を行う登録処理部１１と、登録利用者に関する情報を格納したデータベースである登録利用者情報格納部１２と、広告代理センター１が主催するホームページのデータ（以下、ホームページデータともいう）を格納するホームページデータ格納部１３と、企業などの広告依頼者が依頼した宣伝広告に関連する情報（後掲のキャンペーン情報を含む、以下、広告情報という）を格納するデータベースである広告情報格納部１４と、端末３にて表示される宣伝広告を構成するデータ（以下、広告構成データという）を格納する広告構成データ格納部１５と、広告代理センター１の仲介により宣伝広告を行うように依頼する広告依頼者Ｃに関する情報（広告依頼者Ｃの名称、住所等）を格納するデータベースである広告依頼者情報格納部１６と、ホームページデータ、広告構成データ、広告情報および後掲の各種メッセージ等の送受信を行う送受信部１７と、これら各部の動作を統括的に制御する制御部１８とを主要部として備えてなる。
【００２５】
ここで、登録利用者情報格納部１２に格納される登録利用者情報は、登録利用者を識別するための情報（氏名、住所等。以下、識別情報という）と、登録利用者の利用状況に関する情報（利用者が本システムを利用することによって獲得したサービスポイント数を含む。以下、利用状況情報という）と、登録されたクレジットカードに関する情報（クレジットカード情報という）とを含む。
【００２６】
また、ホームページデータ格納部１３に格納されるデータには、後掲の専用の広告表示用ソフトウェアを構成するデータが含まれるものとされる。
【００２７】
次に、ホームページデータ格納部１３に格納されたホームページデータに基づき端末３の表示装置（不図示である）に表示されるホームページを説明する。
【００２８】
図３に、そのようなホームページの一例を示す。
【００２９】
このホームページ２０は、端末３からのホームページデータの送信要求に応じて、制御部１８が、ホームページデータ格納部１３に格納されたホームページデータを読み出して送受信部１７により通信網２を介して端末３に送信し、ホームページデータを受信した端末３が当該データを用いて表示装置（不図示である）により表示するものとされる。
【００３０】
図３に示すように、ホームページ２０は、広告代理センター１が行う広告代理業務の概要の説明が表示される概要説明部２１と、広告代理センター１の仲介による広告を端末３に表示しようとする利用者が自らを広告代理センター１に登録するための所定の操作を行う登録部２２と、登録利用者が自らの端末３に広告代理センター１の専用の広告表示用ソフトウェアをダウンロードするよう所定の操作を行うダウンロード部２３と、登録利用者がログインするための操作を行うログイン部２４とを含む。
【００３１】
ここで、概要説明部２１には、広告依頼者Ｃの募集も併せて表示されるものとされる。
【００３２】
広告依頼者Ｃが支払う対価は、例えば予め定められる１日あたりの宣伝広告の通算表示時間と１ヶ月間の日数に単価を乗じたものが月掛登録料として請求される。また、後述するように、広告用テレビ画面６１からのリンクにより利用者が商品を購入した場合には一定のマージンが広告依頼者Ｃから広告代理センター１に支払われるものとされる。
【００３３】
さらに、後掲のキャンペーン（懸賞の出展）を行う場合には、広告依頼者Ｃは、所定の料金を支払うものとされる。
【００３４】
登録部２２にて行われる操作は、利用者が登録を受けるのに必要な情報（以下、登録情報という）を入力する操作と、登録の意思表示を行う操作とを含む。すなわち、登録部２２には、広告代理センター１の主催者が予め作成する約款が表示され、それに同意した利用者は、約款に同意する旨を表示する操作と、登録情報を入力し、入力された情報を送信する操作とを行うことによって、登録の意思表示を行うものとされる。
【００３５】
登録部２２にて登録される登録情報には、利用者の住所・居所、氏名、連絡先・Ｅメールアドレス、生年月日、といった情報が含まれる。
【００３６】
登録部２２により登録情報が入力され、入力された登録情報が通信網２を介して広告代理センター１に送信されると、窓口コンピュータ４の制御部１８は、送受信部１７を用いて登録情報を受信し、受信した情報を登録処理部１１に送る。
【００３７】
登録処理部１１は、受信した情報に外形上の不備がなければ当該利用者を登録したものとして識別番号の発番およびログイン・パスワードの発行を行うとともに、受信した情報を登録利用者情報格納部１２に格納し、送受信部１７を用いて、当該利用者に対して、登録完了のメッセージと、発番された識別番号と、発行されたログイン・パスワードとを送信する。これらのメッセージ等は、例えばホームページ２０の登録部２２に登録完了画面（不図示である）として表示されるとともに、Ｅメールにより登録利用者に通知される。
【００３８】
そのようなメッセージを受け取った登録利用者はダウンロード部２３における操作により前記専用の広告表示用ソフトウェアを窓口コンピュータ４から端末３にダウンロードし、ダウンロードしたソフトウェアを端末３にインストールする。
【００３９】
この広告表示用ソフトウェアのインストールにより、後掲の広告用テレビ画面処理部５１が端末３に組み込まれるものとされる。
【００４０】
図４に、ログイン部２４の操作によりログインした登録者の端末３に表示されるメンバーズページ３０の一例を示す。
【００４１】
図４に示すように、メンバーズページ３０は、登録利用者が、クレジットカードの登録のための操作を行うクレジットカード登録部３１と、各広告依頼者Ｃ，Ｃ，・・・が出展している懸賞に関する情報、つまり各広告依頼者Ｃ，Ｃ，・・・が実施しているキャンペーンに関する情報を表示するキャンペーン情報表示部３２と、当該登録利用者の懸賞の応募状況を表示する応募状況表示部３３と、登録利用者が応募した懸賞の当落の結果を表示する懸賞結果表示部３４と、懸賞金が当選した場合の振込先を登録する懸賞金受取口座登録部３５とを含む。
【００４２】
図５に、キャンペーン情報表示部におけるキャンペーン情報の表示例を示す。このキャンペーン情報表示例４０では、現在登録者数表示欄４１に現在の登録利用者数が表示され、当選確率表示欄４２に現時点における懸賞の総合的な当選確率に関する情報が表示され、キャンペーン詳細表示欄４３に、現在懸賞を出展している広告依頼者Ｃとその懸賞の内容を示すリストが表示されている。
【００４３】
図６に、端末３の詳細を示す。端末３は、インターネット等の通信網２を介して通信を行うための通信機能、表示装置（不図示である）により画像（文字、動画を含む）を表示するための画像表示機能、Ｅメールの作成および送受信を行うためのＥメール処理機能、およびホームページ２０やメンバーズページ３０などの広義のホームページ（ウェブページ）を表示するためのホームページ表示機能を備えたパソコンとされており、図６に示すように、前記表示装置により広告用テレビ画面６１（図７参照）を表示させるための処理を行う広告用テレビ画面処理部５１を含んでなるものとされる。
【００４４】
ここで、広告用テレビ画面処理部５１は、前記した通り、ダウンロード部２３における操作によりダウンロードした専用の広告表示用ソフトウェアをインストールすることにより端末３に組み込まれる。
【００４５】
図７に、広告用テレビ画面処理部５１による表示例を示す。図７中、（ａ）は、広告用テレビ画面６１、６１、６１が、いわゆるデスクトップ画面等の端末３のデフォルトの表示画面にて表示されている表示例６０を示す。図７中、（ｂ）は、広告用テレビ画面６１、６１、６１が、端末３の特別の表示領域（以下、特別表示領域という）７１に表示された他の表示例７０を示す。
【００４６】
広告用テレビ画面処理部５１は、窓口コンピュータ４の制御部１８が、送受信部１７を用いて通信網２を介して送信する広告構成データ格納部１５からの広告構成データと広告情報格納部１４からの広告情報とを受信し、受信した広告構成データを広告用テレビ画面６１に表示させるとともに、受信した広告情報に基づき広告用テレビ画面６１の表示態様を変更するものとされる。
【００４７】
すなわち、広告用テレビ画面６１により特定の広告依頼者Ｃの宣伝広告が表示されているときにその広告依頼者Ｃが懸賞を出展していれば、懸賞の出展を登録利用者に通知するように、当該広告用テレビ画面６１の表示色を特定の表示色に変更したり、当該広告用テレビ画面６１の表示の明度を短周期で変化させたりする等の処理を行うものとされる。
【００４８】
ここで、特別表示領域７１は、利用者が端末３により他の作業（例：ワープロソフトによる文書作成、表計算ソフトによる表計算）を行っているときにも広告用テレビ画面６１を表示するよう確保された領域とされる。
【００４９】
また、広告用テレビ画面６１の表示数は、図示例では３とされているが、これに限らず、登録利用者の設定により適宜増減し得るよう構成されてもよい。
【００５０】
また、広告用テレビ画面６１を、図７（ａ）のように、デスクトップ画面等の端末３のデフォルトの画面に表示させるか、特別表示領域７１に表示させるかは、広告用テレビ画面処理部５１における登録利用者の設定に依るものとされる。
【００５１】
また、広告用テレビ画面６１および特別表示領域７１の表示位置は固定のものではなく、例えばドラッグ・アンド・ドロップにより随意に移動し得るよう構成しても良い。
【００５２】
図８に、広告用テレビ画面６１の詳細を示す。
【００５３】
広告用テレビ画面６１は、広告構成データに基づく宣伝広告を表示するための宣伝広告表示欄６２を、テレビ受像器を模した画像に嵌め込んだものとされ、登録利用者は、広告用テレビ画面６１をダブルクリックすることによって、その時点に宣伝広告表示欄６２に宣伝広告が表示されている広告依頼者Ｃのホームページ（広告依頼者Ｃがそれぞれ、広告依頼者ホームページ用サーバ５、５、・・・により別途公開しているホームページ）を端末３に表示させて、当該ホームページを閲覧することが可能となる。
【００５４】
すなわち、広告用テレビ画面処理部５１は、広告用テレビ画面６１を、その時点に宣伝広告が表示されている広告依頼者Ｃのホームページとリンクさせるよう処理するものとされる。
【００５５】
ここで、宣伝広告表示欄６２における宣伝広告の内容は所定時間毎に広告用テレビ画面処理部５１により切り替えられるものとされている。
【００５６】
また、広告用テレビ画面６１からのリンクにより広告依頼者Ｃのホームページを閲覧した登録利用者が商品を購入する際には、クレジットカード登録部３１により登録したクレジットカードを用いて直ちに商品を購入することができるように、広告用テレビ画面処理部５１は、登録利用者が購入した商品に関する情報（購入価格等）を当該広告依頼者Ｃの広告依頼者ホームページ用コンピュータ５から取得し、窓口コンピュータ４に送信すると同時に、クレジットカード情報を広告依頼者Ｃが提携する決済仲介業者に通知するよう窓口コンピュータ４に指示を送るものとされる。
【００５７】
これにより、広告用テレビ画面処理部５１の処理により、広告用テレビ画面６１からのリンクにより商品を購入した登録利用者には所定の基準によりサービスポイントが与えられ、与えられたポイントに関する情報が窓口コンピュータ４に送信されて、ポイント数が登録利用者情報格納部１２の利用状況情報に制御部１８の処理により加算される。サービスポイントが貯まるとそのポイント数に応じた特典が登録利用者に与えられる。
【００５８】
ここで、宣伝広告表示欄６２を嵌め込む画像はテレビ受像器を模したものに限られないことは言うまでもない。
【００５９】
また、広告用テレビ画面６１には、登録利用者が当該広告用テレビ画面６１を表示させてから現在の時点までに、当該広告用テレビ画面６１により懸賞付の宣伝広告が何回表示されたかを計数する応募チャンス・カウンタ６３と、応募チャンス・カウンタが値０である状態、つまり懸賞付の宣伝広告が当該広告用テレビ画面６１により表示されない状態が所定時間続いたときに広告代理センター１により補償用のプレゼントが授与される取り決めがなされた場合に、その授与までの時間を逆算する逆算カウンタ６４が表示されるものとされる。
【００６０】
逆算カウンタ６４が値０となったとき、つまり所定時間応募チャンスが当該広告用テレビ画面６１にて発生しなかったときには、広告用テレビ画面処理部５１により広告用テレビ画面６１に所定の画像（例えば、広告代理センター１のイメージキャラクタの画像）が所定時間表示され、その表示中に登録利用者が広告用テレビ画面６１をダブルクリックしたことを広告用テレビ画面処理部５１が検出すると、補償用のプレゼントを受け取る権利が登録利用者に与えられ、その旨を示す情報が、窓口コンピュータ４に送信されて、制御部１８の処理により登録利用者情報格納部１２に格納される。
【００６１】
これにより、登録利用者は、広告用テレビ画面６１を注視するように動機付けられる。
【００６２】
応募チャンス・カウンタ６３および逆算カウンタ６４は、当該広告用テレビ画面６１の表示が停止されたときにリセットされる。
【００６３】
また、広告代理センター１の登録利用者数が所定数に達したことを記念する特別キャンペーンを行うような場合に、所定期間内（例：某月某日の某時某分〜某時某分）に広告用テレビ画面６１をダブルクリックするとプレゼントを受け取る権利が与えられる、という通知を例えばメンバーズページ３０を介して行い、広告用テレビ画面処理部５１に、前記期間内に広告用テレビ画面６１がダブルクリックされたか否かを検出させるようにしても良い。広告用テレビ画面処理部５１がその期間内にダブルクリックを検出すれば、その登録利用者に当該プレゼントを受け取る権利が与えられたことを示す情報が、制御部１８の処理により登録利用者情報格納部１２に格納される。
【００６４】
これにより、登録利用者は、広告用テレビ画面６１を注視するように動機付けられる。
【００６５】
このように、実施形態１に依れば、端末３の例えば特別表示領域７１に表示される広告用テレビ画面６１により、各広告依頼者Ｃの宣伝広告が表示され、当該表示された宣伝広告の広告依頼者Ｃが懸賞を出展している場合には、その旨を知らせるために当該広告用テレビ画面６１の表示態様を変化させるよう制御がなされる。
【００６６】
このため、登録利用者は、端末３により別の作業を行っているときにも、特別表示領域７１に広告用テレビ画面６１を表示しておくことによって、懸賞が出展されていることを見逃すことなく懸賞に応募することが可能となる。この結果、登録利用者は、広告用テレビ画面６１を常時端末３に表示し、表示された広告用テレビ画面６１を見るように動機付けがなされて、高い宣伝効果を得ることが可能となる。
【００６７】
また、広告依頼者Ｃは、懸賞を出展することによって、メンバーズページ３０のキャンペーン情報表示部等にもその旨が掲載され、それ自体により宣伝効果を得ることができるとともに、広告用テレビ画面６１においても宣伝広告の表示形態が変化して登録利用者の注視が得られるために、懸賞を出展するように動機付けがなされる。この結果、登録利用者が広告用テレビ画面６１を端末３に表示させるようにさらに動機付けがなされるという好循環を生じさせることも可能となる。
【００６８】
実施形態２
以下、図９および図１０を参照して、本発明の実施形態２の広告システムＵ１を説明する。実施形態２は、実施形態１を改変してなるものであり、端末３に表示される広告用テレビ画面を改変してなるものとされる。
【００６９】
図９は、実施形態２の広告用テレビ画面６１Ａの概略図であり、図１０は、実施形態２の窓口コンピュータ４Ａの機能ブロック図である。
【００７０】
すなわち、広告システムＵ１においては、図９に示すように、所定数（図示例では３つ）の宣伝広告表示欄６２Ａ、６２Ａ、６２Ａが１つの広告用テレビ画面６１Ａに表示されるとともに、広告依頼者Ｃや商品を検索するための検索指示部６５が新たに設けられるものとされる。
【００７１】
なお、図９（ａ）は、広告用テレビ画面６１Ａにて宣伝広告表示欄６２Ａ、６２Ａ、６２Ａを横に並べて表示した状態を示し、図９（ｂ）は、宣伝広告表示欄６２Ａ、６２Ａ、６２Ａを縦に並べて表示した状態を示す。この切り替えは、広告用テレビ画面処理部５１Ａ（図６参照）における設定により行われるものとされる。
【００７２】
また、実施形態２の広告用テレビ画面６１Ａにおいては、応募チャンス・カウンタ６３Ａは、広告用テレビ画面６１Ａが表示されてからその時点までに全ての宣伝広告表示欄６２Ａ、６２Ａ、６２Ａにおいて発生した応募チャンスの回数をカウントするものとされ、逆算カウンタ６３Ａにおける時間の逆算も、全ての宣伝広告表示欄６２Ａ、６２Ａ、６２Ａにおいて応募チャンスが発生しないことを条件にカウントを進めるものとされる。つまり、全ての宣伝広告表示欄６２Ａ、６２Ａ、６２Ａにおいて所定時間応募チャンスが発生しなかったときに、登録利用者に補償用プレゼントを受け取る権利が与えられるものとされる。
【００７３】
また、実施形態２においては、前記サービスポイントが一定数貯まった登録利用者に対してスロットチャンスが与えられるものとされる。すなわり、ある登録利用者のサービスポイントが一定数貯まった時点に、制御部１８Ａは、スロットチャンスが与えられたことを例えばＥメールにより送受信部１７Ａを用いて登録利用者に通知する。
【００７４】
通知を受け取った登録利用者は、例えば広告用テレビ画面６１Ａを右クリックしてコンテキスト・メニューを表示させ、表示されたメニューから「スロット開始」コマンドを選択するようにして、スロットチャンスを開始する。
【００７５】
ここで、コンテキスト・メニューへの「スロット開始」コマンドの追加は、広告用テレビ画面処理部５１Ａの処理によりなされる。
【００７６】
登録利用者により、前記「スロット開始」コマンドが選択されると、広告用テレビ画面処理部５１Ａの処理により、広告用テレビ画面６１Ａの各宣伝広告表示欄６２Ａ、６２Ａ、６２Ａにて、スロットマシーンの作動中と同様の表示方式により、予め用意された各種プレゼント商品の表示がなされ、表示がなされたプレゼント商品の中からランダムに選択されたプレゼント商品が各宣伝広告表示欄６２Ａ、６２Ａ、６２Ａにて１つずつ表示される。
【００７７】
ここで、各種プレゼント商品の画像は、広告構成データ格納部１５Ａに予め格納するものとされる。
【００７８】
次いで、広告用テレビ画面処理部５１Ａの処理により、各宣伝広告表示欄６２Ａ、６２Ａ、６２Ａの中の一つを囲う例えば金色の枠が表示され、その枠が各宣伝広告表示欄６２Ａ、６２Ａ、６２Ａを順次移動していくような表示がなされ、各宣伝広告表示欄６２Ａ、６２Ａ、６２Ａの中でランダムに選択された１つの宣伝広告表示欄６２Ａにて金色の枠の移動が止まるように表示がなされる。金色の枠の移動が止まった宣伝広告表示欄６２Ａの表示商品が当該登録利用者のためのプレゼント商品として決定される。
【００７９】
このようにして、一定数のサービスポイントに対応するプレゼント商品が決定され、その情報が、登録利用者情報格納部１２Ａに格納されるとともに、決定されたプレゼント商品を登録利用者に発送するよう広告代理センター１にて処理がなされる。
【００８０】
また、前記一定数のサービスポイントには達しないが、所定数のサービスポイントを既に獲得した利用者に、そのサービスポイントを用いた遊技を行うか否かを選択させて、プレゼント商品を与えるようにしてもよい。
【００８１】
例えば、前記一定数の半分のサービスポイントを既に獲得した登録利用者にサービスポイントを用いた遊技を行うか否かを選択させ、遊技を行う場合には、前記金色の枠の代わりに銀色の枠を表示するように処理する。銀色の枠は、２分の１の確率でどの宣伝広告表示欄６２Ａにも止まらずに消滅するようにして、いずれかのプレゼント商品が当たった場合には、それを当該登録利用者にプレゼントする一方、銀色の枠が消滅したときには、プレゼントは行わず当該利用者が獲得したサービスポイント数をリセットするように処理する。このようにして、登録利用者の興趣を引き、さらに多くの登録利用者を獲得することも可能である。
【００８２】
次に、広告用テレビ画面６１Ａの検索指示部６５がダブルクリック等されて検索指示が行われた場合を説明する。検索指示部６５により検索指示が行われたことを端末３Ａの広告用テレビ画面処理部５１Ａが検知すると、図示しない検索画面が端末３Ａに表示される。利用者は、この検索画面を用いて、広告依頼者Ｃおよびその取扱商品の検索を行う。
【００８３】
この場合の検索方法は、キーワードを入力して行うキーワード検索、カテゴリ（旅行、雑貨、車、ファッション、食べ物、家電、リサイクル等）を指定して行うカテゴリ検索、等とされる。
【００８４】
また、前記検索画面にメンバーズページ３０へのリンクを表示させ、そのリンクをダブルクリック等するとメンバーズページ３０のログイン画面（ホームページ２０のログイン部２４と同様のもの）が表示されるようにしてもよい。
【００８５】
前記検索画面にて入力されたキーワードやカテゴリの指定は、広告用テレビ画面処理部５１Ａにより通信網２を介して窓口コンピュータ４Ａに送られる。
【００８６】
これに対応して、図１０に示すように、窓口コンピュータ４Ａには、検索処理部１９Ａが設けられるとともに、広告依頼者情報格納部１６Ａには広告依頼者の取扱商品に関する情報（以下、取扱商品情報という）が格納されるものとされる。
【００８７】
検索処理部１９Ａは、前記端末３Ａから送信されるキーワード、またはカテゴリの指定により、それに該当する広告依頼者Ｃを広告依頼者情報格納部１６Ａから検索し、そのリストを送受信部１７Ａにより端末３Ａに返信するものとされる。
【００８８】
端末３Ａが前記検索結果としての広告依頼者Ｃのリストを受け取ると、広告用テレビ画面処理部５１により当該リストが表示装置に表示され、登録利用者により当該リストから所望の広告依頼者Ｃが選択されると、当該広告依頼者Ｃの広告依頼者ホームページ用コンピュータ５と端末３Ａとが接続されて、当該広告依頼者のホームページが表示される。
【００８９】
表示された広告依頼者Ｃのホームページを介して登録利用者が、商品を購入した場合の処理は実施形態１におけると同様である。
【００９０】
なお、このような検索処理の対象となる広告依頼者Ｃの登録は有料、無料のいずれでもよいが、広く広告依頼者Ｃを募集するためにも無料とするのが好ましい。
【００９１】
このように実施形態２によれば、プレゼント商品がスロットマシーンと同様の方式により決定されるために、さらに強く登録利用者の興味を引くことが可能となり、登録利用者が広告用テレビ画面６１Ａを注視するようにより大きな動機付けを与えることが可能となる。したがって、宣伝効果をさらに高めることが可能となり、この結果、さらに多くの登録利用者を獲得することが可能となる。
【産業上の利用可能性】
【００９２】
本発明は、広告産業に適用できる。
【図面の簡単な説明】
【００９３】
【図１】本発明の実施形態１に係る広告システムの概略図である。
【図２】広告代理センターに設置される窓口コンピュータの機能ブロック図である。
【図３】広告代理センターが主催するホームページの概略図である。
【図４】広告代理センターに登録したログインすると表示されるメンバーズページの概略図である。
【図５】キャンペーン情報表示部における表示例の概略図である。
【図６】端末の機能ブロック図である。
【図７】端末における表示例の概略図であり、同（ａ）は、広告用テレビ画面が端末のデフォルト画面に直接表示された状態、同（ｂ）は、広告用テレビ画面が特別表示領域に表示された状態を示す。
【図８】広告用テレビ画面の概略図である。
【図９】実施形態２の広告用テレビ画面の概略図であり、同（ａ）は、広告用テレビ画面にて宣伝広告表示欄を横に並べて表示した状態を示し、同（ｂ）は、宣伝広告表示欄を縦に並べて表示した状態を示す。
【図１０】実施形態２の窓口コンピュータの機能ブロック図である。
【符号の説明】
【００９４】
Ｕ    広告システム
Ｃ    広告依頼者
１    広告代理センター
２    通信網
３    端末
４    窓口コンピュータ
５    広告依頼者ホームページ用コンピュータ
１１    登録処理部
１２    登録利用者情報格納部
１３    ホームページデータ格納部
１４    広告情報格納部
１５    広告構成データ格納部
１７    送受信部
１８    制御部
２０    ホームページ
３０    メンバーズページ
５１    広告用テレビ画面処理部
６１    広告用テレビ画面
６２    宣伝広告表示欄
７１    特別表示領域
【図１】
2007249601.tif 000003
【図２】
2007249601.tif 000004
【図３】
2007249601.tif 000005
【図４】
2007249601.tif 000006
【図５】
2007249601.tif 000007
【図６】
2007249601.tif 000008
【図７】
2007249601.tif 000009
【図８】
2007249601.tif 000010
【図９】
2007249601.tif 000011
【図１０】
2007249601.tif 000012